(57)【要約】【課題】  モニタリングを行うことでカロリー消費の状態を知ることができる装置を提供する。【解決手段】  被検体に光を照射する照射部と、被検体を通過し被検体外部へ放出される受光強度を検出する受光部と、受光強度から、吸収したカロリーを算出する制御部とを有する。【選択図】  図１
2020106318.tif 000002
【特許請求の範囲】
【請求項１】
被検体に光を照射する照射部と、
前記被検体を通過し前記被検体外部へ放出される受光強度を検出する受光部と、
前記受光強度から、吸収カロリーを算出する制御部と、
を有する、吸収カロリー計測装置。
【請求項２】
前記制御部は、
空腹時の受光強度から、空腹時吸収カロリーを算出し、
飲食後の受光強度から、飲食後吸収カロリーを算出し、
前記空腹時吸収カロリーと前記飲食後吸収カロリーから、正味吸収カロリーを算出する
ことを特徴とする請求項１に記載の吸収カロリー計測装置。
【請求項３】
空腹時ボタンと飲食後ボタンを表示する操作パネルと、
空腹時データエリアと飲食後データエリアと有する記憶部と、
をさらに有し、
前記制御部は、
前記空腹時ボタンが選択された場合には、前記空腹時吸収カロリーを前記空腹時データエリアに記憶し、
前記飲食後ボタンが選択された場合には、前記飲食後吸収カロリーを前記飲食後データエリアに記憶する、
ことを特徴とする請求項２に記載の吸収カロリー計測装置。
【請求項４】
前記制御部は、
前記空腹時吸収カロリーと前記飲食後吸収カロリーの差から、正味吸収カロリーを算出することを特徴とする請求項２または３に記載の吸収カロリー計測装置。
【請求項５】
前記記憶部は、
予め得られた受光強度と吸収カロリーとの統計データを記憶し、
前記制御部は
前記記憶部に記憶した前記統計データに基づいて、前記受光強度から前記空腹時吸収カロリー及び前記飲食後吸収カロリーを算出する、ことを特徴とする請求項３に記載の吸収カロリー計測装置。
【請求項６】
前記照射部は、照射する光が可視光であることを特徴とする、請求項１から５のいずれかに記載の吸収カロリー計測装置。
【請求項７】
被検体に光を照射する照射部と、前記被検体を通過し前記被検体外部へ放出される受光強度を検出する受光部と、を有する吸収カロリー計測装置のコンピュータに、
前記受光強度から、吸収カロリーを算出する処理を、
実行させる吸収カロリー計測プログラム。
【請求項８】
被検体に光を照射する照射部と、前記被検体を通過し前記被検体外部へ放出される受光強度を検出する受光部と、を有する吸収カロリー計測装置のコンピュータが、
前記受光強度から、吸収したカロリーを算出する処理を、
行う吸収カロリー計測方法。
【請求項９】
被検体に光を照射する照射部と、前記被検体を通過し前記被検体外部へ放出される受光強度を検出する受光部と、を有する携帯端末に接続した吸収カロリー計測装置であって、
前記受光強度から、吸収したカロリーを算出する制御部を有する、吸収カロリー計測装置。
【請求項１０】
前記制御部は、
空腹時の受光強度から、空腹時吸収カロリーを算出し、
飲食後の受光強度から、飲食後吸収カロリーを算出し、
前記空腹時吸収カロリーと前記飲食後吸収カロリーから、正味吸収カロリーを算出することを特徴とする請求項９に記載の吸収カロリー計測装置。
【請求項１１】
前記携帯端末は、空腹時ボタンと飲食後ボタンを表示する操作パネルをさらに有し、
前記吸収カロリー計測装置は、空腹時データエリアと飲食後データエリアと有する記憶部、をさらに有し、
前記制御部は、
前記空腹時ボタンが選択された場合には、前記空腹時吸収カロリーを前記空腹時データエリアに記憶し、
前記飲食後ボタンが選択された場合には、前記飲食後吸収カロリーを前記飲食後データエリアに記憶する、
ことを特徴とする請求項１０に記載の吸収カロリー計測装置。
【請求項１２】
前記制御部は、
前記空腹時吸収カロリーと前記飲食後吸収カロリーの差から、正味吸収カロリーを算出することを特徴とする請求項１０または１１に記載の吸収カロリー計測装置。
【請求項１３】
前記記憶部は、
予め得られた受光強度と吸収カロリーとの統計データを記憶し、
前記制御部は
前記記憶部に記憶した前記統計データに基づいて、前記受光強度から前記空腹時吸収カロリー及び前記飲食後吸収カロリーを算出する、ことを特徴とする請求項１１に記載の吸収カロリー計測装置。
【請求項１４】
前記照射部は、照射する光が可視光であることを特徴とする、請求項９から１３に記載の吸収カロリー計測装置。
【請求項１５】
被検体に光を照射する照射部と、前記被検体を通過し前記被検体外部へ放出される受光強度を検出する受光部と、を有する携帯端末に接続した吸収カロリー計測装置のコンピュータに、
前記受光強度から、吸収したカロリーを算出する処理を実行させる吸収カロリー計測プログラム。
【請求項１６】
被検体に光を照射する照射部と、前記被検体を通過し前記被検体外部へ放出される受光強度を検出する受光部と、を有する携帯端末に接続した吸収カロリー計測装置のコンピュータが、
前記受光強度から、吸収したカロリーを算出する処理を行う吸収カロリー計測方法。 
【発明の詳細な説明】
【技術分野】
【０００１】
本発明は、吸収カロリー計測装置、吸収カロリー計測方法、及び、吸収カロリー計測プログラムに関する。
【背景技術】
【０００２】
近年、健康管理のために食事のカロリーを簡便な手法で情報を得る要望が高まっている。例えば、下記特許文献１のように、食品の反射光からカロリー情報を取得する装置が公開されている。
【先行技術文献】
【特許文献】
【０００３】
【特許文献１】特開2016-81407号公報
【特許文献２】特開2012-203834号公報
【発明の概要】
【発明が解決しようとする課題】
【０００４】
しかしながら、特許文献１では、食物のカロリーを知ることができたとしても、実際は摂取されたカロリーがすべて吸収されるわけでは無く、一部が吸収されるものであり、その吸収率も個人差があった。
【０００５】
また、特許文献２においては、摂取カロリーをコントロールするためのメニュー提案のプログラムが公開されている。しかしこれらは、食品の画像を解析することで、飲食物自体のカロリーを利用者に提示するものである。
【０００６】
また、運動量から消費カロリーを計算するアプリも存在するが、運動による代謝効果を即自的にモニターすることは難しく、また本当に消費されているかは不明である。
【０００７】
本発明は、被験体が吸収したカロリー量を計測する装置及び方法を提供するとともに、モニタリングを行うことでカロリー消費の状態を知ることができる装置及び方法を提供する。
【課題を解決するための手段】
【０００８】
本発明は、被検体に光を照射する照射部と、被検体を通過し被検体外部へ放出される受光強度を検出する受光部と、受光強度から、吸収カロリーを算出する制御部と、を有する吸収カロリー計測装置である。
【０００９】
また、本発明は、被検体に光を照射する照射部と、被検体を通過し被検体外部へ放出される受光強度を検出する受光部と、を有する吸収カロリー計測装置のコンピュータに、受光強度から、吸収カロリーを算出する処理を実行させる吸収カロリー計測プログラムである。
【００１０】
また、本発明は、被検体に光を照射する照射部と、被検体を通過し被検体外部へ放出される受光強度を検出する受光部と、を有する吸収カロリー計測装置のコンピュータが、受光強度から、吸収したカロリーを算出する処理を行う吸収カロリー計測方法である。
【００１１】
また、本発明は、被検体に光を照射する照射部と、被検体を通過し被検体外部へ放出される受光強度を検出する受光部と、を有する携帯端末に接続した吸収カロリー計測装置であって、受光強度から、吸収したカロリーを算出する制御部を有する、吸収カロリー計測装置である。
【００１２】
また、本発明は、被検体に光を照射する照射部と、被検体を通過し被検体外部へ放出される受光強度を検出する受光部と、を有する携帯端末に接続した吸収カロリー計測装置のコンピュータに、受光強度から、吸収したカロリーを算出する処理を実行させる吸収カロリー計測プログラムである。
【００１３】
また、本発明は、被検体に光を照射する照射部と、被検体を通過し被検体外部へ放出される受光強度を検出する受光部と、を有する携帯端末に接続した吸収カロリー計測装置のコンピュータが、受光強度から、吸収したカロリーを算出する処理を行う吸収カロリー計測方法である。
【図面の簡単な説明】
【００１４】
【図１】吸収カロリー計測装置の概略図。
【図２】計測時の被検体と吸収カロリー計測装置の位置を示す図。
【図３】吸収カロリー計測装置のブロック図。
【図４】吸収カロリーの時間変化を示す図。
【図５】操作パネルに表示される操作画面。
【図６】操作パネルに表示される操作画面。
【図７】操作パネルに表示される操作画面。
【図８】吸収カロリー計測の動作のフローチャート。
【図９】受光強度とTGとの相関図。
【図１０】受光強度と照射位置からの距離の関係を示す図。
【図１１】受光強度と吸収カロリーとの相関図。
【図１２】吸収カロリー計測システムの概略図。
【図１３】吸収カロリー計測装置のブロック図。
【図１４】吸収カロリー計測の動作のフローチャート。
【発明を実施するための形態】
【００１５】
以下に実施形態を図面を用いて説明する。なお、実施形態では吸収カロリー計測装置として、スマートフォンを用いた例を説明をする。ただし、計測装置形態は、スマートフォンに限られず、照射部と受光部を有する装置により吸収カロリーを計測可能とするものである。
【００１６】
実施形態の吸収カロリー計測装置１００は、照射部１１、受光部１２、記憶部１３、制御部１４、及び、操作パネル部１５を有する。
【００１７】
図１は、実施形態の吸収カロリー計測装置１００の構成例を概略的に示す図である。図１に示すように吸収カロリー計測装置１００は、例えば、スマートフォンやタブレットやノート型コンピュータ等の携帯端末である。吸収カロリー計測装置１００は、無線通信を可能にするネットワークインターフェイスを持ち、記憶媒体に保存されたプログラムをメモリへロードし、プログラムをＣＰＵ（Central Processing Unit）で動作させることで、各機能を有効にする。
【００１８】
実施形態の照射部１１は、受光部１２から所定の距離を置いて、配列される。図２に示すように、照射部１１は、被検体Ｃに光を照射する。照射部１１は、例えば、蛍光灯、LED、レーザー、白熱灯、HID、ハロゲンランプ等である。照射部１１の照度は、制御部１４により制御される。照射強度を強くし、静脈をターゲットとしたり、静脈の位置情報を探すという使い方も可能である。実施形態では、照射部１１は、スマートフォンに搭載されたフラッシュを使用しているが、これに限られず、被験体に光を照射できる装置を備えれば良い。
【００１９】
実施形態の受光部１２は、図２に示すように、照射部１１が照射した光が、被検体Ｃ内から被検体Ｃ外に放出される光を受光する。実施形態の受光部１２は、CMOSである。受光部１２は、CMOSに限られず、CCDやフォトダイオードでもよい。受光部１２で取得した受光強度データは、記憶部１３へ送信される。受光強度の取得データを記憶部１３の参照データエリアもしくは飲食後データエリアのどちらに送信するかは、ユーザーが操作パネル部１５により指定する。
【００２０】
ユーザーが所持する吸収カロリー計測装置１００の制御系の構成について説明する。図３は実施形態の吸収カロリー計測装置１００のブロック図である。システムバス１０８を介して、ＣＰＵ１０２、ＲＯＭ（Read Only Memory）１０３、ＲＡＭ（Random Access Memory）１０４、外部Ｉ／Ｆ（Interface）１０５、照射部１１、受光部１２、記憶部１３、及び、操作パネル１５が接続される。ＣＰＵ１０２とＲＯＭ１０３とＲＡＭ１０４とで制御部１４を構成する。
【００２１】
ＲＯＭ１０３には、ＣＰＵ１０２により実行されるプログラムや閾値を予め記憶する。
【００２２】
ＲＡＭ１０４には、ＣＰＵ１０２が実行するプログラムを展開するエリアと、プログラムによるデータ処理の作業領域となるワークエリアなどの様々なメモリエリアを動的に形成する。
【００２３】
記憶部１３は、不揮発性に記憶する装置であり、ＳＳＤ（Solid State Drive）やＨＤＤ（Hard Disc Drive）等の内部ストレージである。
【００２４】
記憶部１３は、空腹時における基準値となる空腹時の吸収カロリーを保存する参照データエリアを有する。記憶部１３は、時間の経過に伴う飲食後の吸収カロリーを保存する飲食後データエリアを有する。
【００２５】
記憶部１３は、吸収カロリーと受光強度の相関を予め測定し、検量線とした統計データを記憶する。なお、実施形態では、空腹時の吸収カロリー、飲食後の吸収カロリー、及び、統計データを記憶部１３に記憶することとしたが、ＲＯＭ１０３やＲＡＭ１０４に記憶することでもよい。
【００２６】
制御部１４は、空腹時における受光強度から空腹時の吸収カロリーを算出する。制御部１４は、飲食後の受光強度から飲食後の吸収カロリーを算出する。図１１に示すように、受光強度と吸収カロリーとは相関があるため、受光強度と吸収カロリーとの相関を、予め測定し、記憶部１３に統計データ（例えば、図１１の検量線y＝-2E-08x-0.0002に基づくデータ）を記憶する。記憶部１３に記憶した統計データに基づいて、受光強度から空腹時吸収カロリー及び飲食後吸収カロリーを算出する。
【００２７】
制御部１４は、飲食後の吸収カロリーと空腹時の吸収カロリーとの差から、正味の吸収カロリーを算出する。図４に示すように、飲食後の吸収カロリーの時間変化はグラフの実線となるが、空腹時の吸収カロリーを引くと、図４のグラフの点線となり、これが正味の吸収カロリーの時間変化となる。空腹時のカロリー値は個人差があるが、差分を取ることで、他人のデータと比較しやすくなる。また、食事による吸収量を認識しやすくなる効果がある。なお、実施形態では差分を取ったが、比を取ってもよい。
【００２８】
なお、実施形態では、空腹時の吸収カロリーと飲食後の吸収カロリーを個別に算出したが、これに限られず、図４の飲食後の吸収カロリーの0分時点の吸収カロリーを空腹時の吸収カロリー（すなわち基準値）とみなして、上記処理を行うことでもよい。
【００２９】
実施形態の吸収カロリー計測装置１００として、市販のスマートフォンを用いた場合の吸収カロリー量の計測について説明する。実施形態は血液の濁度変化をカロリー換算するものである。
【００３０】
まず、カロリーの中でも特に脂質のカロリーについて検証した。脂質を摂取するとTGまたはカイロミクロンという粒子で血中に分泌されて流れ、その際の血液の濁度変化が、血液の散乱係数の変化としてあらわれることが知られている。この散乱係数変化からTG濃度などの計算する場合、近赤外光を使用した場合、TGとの相関係数が0.7以上で得られる。同様の実験を、市販のスマートフォンで実験すると、図９のように全く相関は得られなかった。
【００３１】
なお撮影は、フラッシュを点灯させた状態で、接写にて実施した。接写した場合の画像は、図１０のとおりである。照射位置からの距離に応じた光の値をIntensityとしている。
【００３２】
相関が得られなかった理由として、使用した光源が可視光であり、生体に対しては散乱係数および吸収係数ともに、近赤外光より影響が強く表れる。さらにフラッシュは本来、夜間でも被写体を照らし出すことを目的としているため、照射強度は強い。この場合、拡散理論を成立させるためには、入射―受光部間距離を長めに設定したいが、装置上、この距離が固定されている。
【００３３】
また、スマートフォンなどのカメラはRGB分析となるため、詳細な波長分析ができないことなどが相関不良の原因と考えられる。
【００３４】
そこで、なるべく生体ノイズを平均化させるため、比較的シンプルな指先などが望ましいが、前腕などでは動画モードで位置ずれなどを平均化することも可能である。
【００３５】
そして、市販のスマートフォンなどでは、装置構成を変えることができないのでソフトウェアで解決させたい。
【００３６】
本発明者は、市販のスマートフォンを使用した場合に、カロリー、脂質濃度、粒子サイズ、粒子数など様々な指標を検討した結果、カロリーが最も受光強度と相関することを見出した。
【００３７】
カロリー計算は、脂質１g＝9kcalであり、食後であれば上昇したTG濃度が吸収した脂質量とすることができる。さらに本実施例では、血液量による補正を行なった。血液量は体重の1/13とされており、体内に全体に存在する吸収カロリーとするため、血液量を掛け合わせた場合、相関係数は改善し、図１１に示すように、相関係数0.744と良好な相関が得られた。図１１は、予め測定した受光強度と吸収カロリーとの相関図である。図１１に、得られた受光強度と吸収カロリーの分布を直線近似した検量線を示す。直線近似に限られず曲線近似としてもよい。この統計データを用いることにより、受光強度から吸収カロリーを算出できる。
【００３８】
この手法を用いれば、摂取したカロリーがわかると吸収された量がわかるので、体質チェックや効果的栄養指導にも利用できる。
【００３９】
吸収カロリー算出の手法は以下の通りである。本発明における検証で、被験者に対しオフトクリームを160ｇ摂取してもらって実験を行った。オフトクリーム100g中の脂質成分は32.9gである。まず、一般的に脂質のカロリーは、「脂質１ｇ＝9kcal」と言われている。そのため、160g摂取の場合、脂質のみで計算すると473.8kcalを負荷したことになる。
473.8＝32.9ｇ（W/V）×1.6(重量補正)×9（カロリー換算）
【００４０】
また、摂取した重量は52,640mgとなる。血液量は、体重の1/13と言われており、60kｇの人の場合、4.6kgとなり、血液は1L=1kgなので、4.6Lとなる。100kｇの場合、同様に計算すると約7.7Lとなる。これをTG変化量で表すと、100％吸収された場合のTG増加量は以下のように算出される。
60ｋｇ：約1,144mg/dL
100ｋｇ：約684mg/dL
また、吸収したカロリーは、ΔTG×9と等しい。
【００４１】
外部Ｉ／Ｆ１０５は、外部装置と通信するためのインターフェースである。外部Ｉ／Ｆ１０５は、外部装置とデータ通信を行うインターフェースであれば良い。例えば、外部Ｉ／Ｆ１０５は、外部装置にローカルに接続する機器（ＵＳＢメモリ等）であっても良いし、ネットワークを介して通信するためのネットワークインターフェイスであっても良い。さらに、データ通信方式は、Ｗｉ−Ｆｉ（登録商標）通信やＵＳＢ通信でもよい。
【００４２】
また、生体で吸収された脂肪分はカイロミクロンという粒子で血液を流れ、その際の濁度変化を計測している。
【００４３】
操作パネル１５は、表示部とタッチパネルが一体化したユーザインターフェースである。操作パネル１５は、吸収カロリー計測装置１００の本体の前面に配置され、タッチパネルを具備する表示部を有する。制御部１４は、操作パネル１５の表示部に表示する内容を制御する。操作パネル１５は、タッチパネル入力した情報を制御部１４へ出力する。操作パネル１５から入力される各処理に関する情報は、処理情報としてＲＡＭ１０４の所定の領域に記憶される。
【００４４】
図５は、操作パネル１５に表示される入力画面である。ユーザーは、操作パネル１５から、性別、年齢、身長、体重、及び、食事量を入力する。測定モードボタンを押下することにより、測定が開始される。
【００４５】
図６は、操作パネル１５に表示される出力画面である。操作パネル１５には、最大吸収カロリー、吸収率、現在の吸収カロリー、現在の消費率、及び、コメントが表示される。
【００４６】
図７は、操作パネル１５に表示される操作画面である。空腹時ボタン１５ａは、ユーザーが空腹時であることを選択するためのボタンである。飲食後ボタン１５ｂは、ユーザーが飲食後であることを選択するためのボタンである。
【００４７】
以上のような構成を備える吸収カロリー計測装置１００において、予め設定されているプログラムに基づいて、吸収カロリー計測装置１００は吸収カロリー計測処理を実行する。
【００４８】
図８は、実施形態の吸収カロリー計測装置１００の動作を示すフローチャートである。照射部１１は、非検体に向けて照射光を照射する（ＳＴＥＰ１０１）。受光部１２は、被検体内から被検体外に放出される光を受光する（ＳＴＥＰ１０２）。制御部１４は、操作パネル１５に空腹時ボタン１５ａと飲食後ボタン１５ｂを表示する（ＳＴＥＰ１０３）。空腹時ボタン１５ａが選択された場合には、制御部１４は、受光部１４が受光した光強度から空腹時吸収カロリーを算出し、記憶部１３の参照データエリアに記憶する（ＳＴＥＰ１０４）。飲食後ボタン１５ｂが選択された場合には、制御部１４は、受光部１４が受光した光強度から飲食後吸収カロリーを算出し、記憶部１３の飲食後データエリアに記憶する（ＳＴＥＰ１０５）。制御部１４は、記憶部１３の参照データエリアに記憶された空腹時吸収カロリー、及び、記憶部１３の飲食後データエリアに記憶された飲食後吸収カロリーから、正味の吸収カロリーの時間変化を算出する（ＳＴＥＰ１０６）。
【００４９】
実施形態の吸収カロリー計測装置は、カメラとフラッシュを搭載するスマートフォン等の装置において、可視光を照射することを目的とした光源（波長400〜800nmの発光強度が、全波長域の発光強度の80％以上を締める光源）であり、照射部位の光減衰あるいは一定強度の到達範囲からカロリー吸収量および/または消費量を算出することで、健康管理を行う装置である。
【００５０】
なお、図４のように吸収されたカロリー量が０になるまでの変化を、ここでは吸収カロリー消費量と呼ぶ。このカロリー消費速度等を運動などによる変化を確認することもできる。
【００５１】
また、摂取した食事のカロリーをソフトウェアに入力し、吸収されたカロリー量から吸収率を計算することで、自己の体質の把握することが可能である。また、運動により安静時よりいかに効率よく脂質を消費したか、などの評価が示されることも可能であることから、運動の啓もうや、食事の量の調節などを行うことができる。モード切替により、飲酒量モニターとしても可能である。また、多数の人の計測結果から、参考基準値を導き出し、参考基準値に基づき画面表示を変えるなどし、視覚的に体調を表現するとしても良い。
【００５２】
次に、他の実施形態の吸収カロリー計測装置２００について説明する。照射部と受光部がスマートフォンに備わるものを使用し、実施形態の吸収カロリー計測装置２００が、当該スマートフォンとネットワークで接続した、サーバー装置であってもよい。
【００５３】
実施形態のシステム構成図を図１２に示す。システムは、吸収カロリー計測装置２００と、携帯端末３００と、アクセスポイント４００を有する。
【００５４】
携帯端末３００は、照射部３１と受光部３２と操作パネル３５を有する。携帯端末３００の構成は、実施形態の吸収カロリー計測装置１００のハードウェア構成と同等であるため説明を省略する。
【００５５】
実施形態の吸収カロリー計測装置２００は、例えば、サーバー装置である。実施形態の吸収カロリー計測装置２００の制御系の構成について説明する。図１３は実施形態の吸収カロリー計測装置２００のブロック図である。システムバス２０８を介して、ＣＰＵ２０２、ＲＯＭ（Read Only Memory）２０３、ＲＡＭ（Random Access Memory）２０４、外部Ｉ／Ｆ（Interface）２０５、及び、記憶部２３が接続される。ＣＰＵ２０２とＲＯＭ２０３とＲＡＭ２０４とで制御部２４を構成する。
【００５６】
ＲＯＭ２０３には、ＣＰＵ２０２により実行されるプログラムや閾値を予め記憶する。
【００５７】
ＲＡＭ２０４には、ＣＰＵ２０２が実行するプログラムを展開するエリアと、プログラムによるデータ処理の作業領域となるワークエリアなどの様々なメモリエリアを動的に形成する。
【００５８】
記憶部２３は、ＳＳＤ（Solid State Drive）やＨＤＤ（Hard Disc Drive）等の内部ストレージである。
【００５９】
記憶部２３は、空腹時における基準値となる空腹時の吸収カロリー被検体情報を保存する参照データエリアを有する。制御部２４は、参照データエリアに記憶する情報をもとに吸収カロリー算出を行う。
【００６０】
記憶部２３は、時間の経過に伴う飲食後の吸収カロリー被検体情報を保存する飲食後データエリアを有する。制御部２４は、飲食後データエリアに記憶する情報をもとに、吸収カロリー算出を行う。
【００６１】
記憶部２３は、吸収カロリーと受光強度の相関を検量線とした相関データを記憶する。なお、実施形態では、空腹時の吸収カロリー、飲食後の吸収カロリー、及び、相関データを記憶部２３に記憶することとしたが、ＲＡＭ２０４に記憶することでもよい。
【００６２】
制御部２４は、空腹時における受光強度から空腹時の吸収カロリーを算出する。制御部１４は、飲食後の受光強度から飲食後の吸収カロリーを算出する。
【００６３】
制御部２４は、飲食後の吸収カロリーと空腹時の吸収カロリーとの差から、正味の吸収カロリーを算出する。
【００６４】
なお、実施形態では、空腹時の吸収カロリーと飲食後の吸収カロリーを個別に算出したが、これに限られず、図４の飲食後の吸収カロリーの0分時点の吸収カロリーを空腹時の吸収カロリー（すなわち基準値）とみなして、上記処理を行うことでもよい。
【００６５】
外部Ｉ／Ｆ２０５は、外部装置と通信するためのインターフェースである。外部Ｉ／Ｆ２０５は、外部装置とデータ通信を行うインターフェースであれば良い。例えば、外部Ｉ／Ｆ２０５は、外部装置にローカルに接続する機器（ＵＳＢメモリ等）であっても良いし、ネットワークを介して通信するためのネットワークインターフェイスであっても良い。さらに、データ通信方式は、Ｗｉ−Ｆｉ（登録商標）通信やＵＳＢ通信でもよい。
【００６６】
以上のような構成を備える吸収カロリー計測装置２００において、予め設定されているプログラムに基づいて、吸収カロリー計測装置２００は吸収カロリー計測処理を実行する。
【００６７】
図１４は、実施形態の吸収カロリー計測装置２００の動作を示すフローチャートである。携帯端末３００の照射部３１は、非検体に向けて照射光を照射する（ＳＴＥＰ２０１）。携帯端末３００の受光部３２は、被検体内から被検体外に放出される光を受光する（ＳＴＥＰ２０２）。携帯端末３００の操作パネル３５は、空腹時ボタンと飲食後ボタンを表示する（ＳＴＥＰ２０３）。空腹時ボタンが選択された場合には、吸収カロリー計測装置２００の制御部２４は、携帯端末３００の受光部が受光した光強度から空腹時吸収カロリーを算出し、記憶部２３の参照データエリアに記憶する（ＳＴＥＰ２０４）。飲食後ボタンが選択された場合には、吸収カロリー計測装置２００の制御部２４は、携帯端末３００の受光部が受光した光強度から飲食後吸収カロリーを算出し、記憶部２３の飲食後データエリアに記憶する（ＳＴＥＰ２０５）。吸収カロリー計測装置２００の制御部２４は、記憶部２３の参照データエリアに記憶された空腹時吸収カロリー光強度、及び、記憶部２３の飲食後データエリアに記憶された飲食後吸収カロリー光強度から、正味の吸収カロリーの時間変化を算出する（ＳＴＥＰ２０６）。
【００６８】
以上、実施形態を説明したが、この実施形態は、例として提示したものであり、発明の範囲を限定することは意図していない。この新規な実施形態は、その他の様々な形態で実施されることが可能であり、発明の要旨を逸脱しない範囲で、種々の省略、置き換え、変更を行うことができる。この実施形態やその変形は、発明の範囲や要旨に含まれるとともに、特許請求の範囲に記載された発明とその均等の範囲に含まれる。
【符号の説明】
【００６９】
１００  吸収カロリー計測装置
１１  照射部
１２  受光部
１３  記憶部
１４  制御部
１５  操作パネル部 
【図１】
2020106318.tif 000003
【図２】
2020106318.tif 000004
【図３】
2020106318.tif 000005
【図４】
2020106318.tif 000006
【図５】
2020106318.tif 000007
【図６】
2020106318.tif 000008
【図７】
2020106318.tif 000009
【図８】
2020106318.tif 000010
【図９】
2020106318.tif 000011
【図１０】
2020106318.tif 000012
【図１１】
2020106318.tif 000013
【図１２】
2020106318.tif 000014
【図１３】
2020106318.tif 000015
【図１４】
2020106318.tif 000016